【手続補正書】
【提出日】平成28年3月16日(2016.3.16)
【手続補正１】
【補正対象書類名】特許請求の範囲
【補正対象項目名】全文
【補正方法】変更
【補正の内容】
【特許請求の範囲】
【請求項１】
無線送信から被試験体（ＤＵＴ）に生じるメディア品質劣化を推定し、これにより、前記ＤＵＴの性能を特徴付ける方法であって、
基準メディア信号をパケットのストリームに符号化する段階と、
第１の無線アクセスネットワーク（ＲＡＮ）を介した無線送信による劣化の結果を模擬する第１の模擬された障害を前記パケットのストリーム内の個々のパケットに課す段階であって、ピアメディアデバイスとのインタフェース上で該パケットのストリームの第１の無線送信から生じ得る劣化を模擬する、前記個々のパケットに課す段階と、
無線周波数（ＲＦ）リンク上で前記パケットのストリームを送信する段階と、
前記パケットのストリームを前記ＤＵＴで受信する段階と、
前記ＤＵＴを介して前記パケットのストリームから導出された劣化メディア信号を捕捉する段階と、
前記劣化メディア信号を解析する段階であって、して前記メディア品質劣化を推定する、前記解析する段階と、
複数の異なる模擬された障害に関する、前記符号化する段階、前記個々のパケットに課す段階、前記送信する段階、前記受信する段階、前記捕捉する段階、及び、前記解析する段階を繰り替えすことによって、前記ＤＵＴの性能を特徴付ける段階と、
を含むことを特徴とする方法。
【請求項２】
第２の模擬された障害を前記パケットのストリーム内の個々のパケットに課して、該パケットのストリームの第２の無線送信から生じ得る劣化を模擬する段階、
を更に含むことを特徴とする請求項１に記載の方法。
【請求項３】
前記第２の模擬された障害は、第２のＲＡＮを介した無線送信による劣化の結果を模擬することを特徴とする請求項２に記載の方法。
【請求項４】
模擬されたネットワーク障害を前記パケットのストリーム内の個々のパケットに課して、前記第１のＲＡＮと前記第２のＲＡＮを接続する固定ネットワーク上の送信から生じ得る劣化を模擬する段階、
を更に含むことを特徴とする請求項３に記載の方法。
【請求項５】
前記第１の模擬された障害、前記第２の模擬された障害、及び前記模擬されたネットワーク障害のうちの少なくとも１つが、前記パケットのストリーム内の少なくとも２つの個々のパケットの順番を変えることを特徴とする請求項４に記載の方法。
【請求項６】
前記第１の模擬された障害及び前記第２の模擬された障害のうちの少なくとも一方が、第２の個々のパケットの送信において遅延を引き起こす第１の個々のパケットの模擬された欠落を含むことを特徴とする請求項２に記載の方法。
【請求項７】
前記基準デジタルメディア信号をパケットのストリームに符号化する段階、第１の模擬された障害を該パケットのストリーム内の個々のパケットに課す段階、及び第２の模擬された障害を該パケットのストリーム内の個々のパケットに課す段階のうちの少なくとも１つが、前記ＲＦリンク上で該パケットのストリームを送信する前記段階の前に該パケットのストリームをメモリに格納する段階を含み、
前記ＲＦリンク上で前記パケットのストリームを送信する前記段階は、該パケットのストリームを該ＲＦリンク上で実時間で送信する段階を含む、
ことを特徴とする請求項２に記載の方法。
【請求項８】
前記劣化メディア信号を解析する前記段階は、該劣化メディア信号を前記基準メディア信号と比較する段階を含むことを特徴とする請求項１に記載の方法。
【請求項９】
解析する前記段階は、平均意見スコア（ＭＯＳ）を決定してメディア品質劣化の量を定量化する段階を含むことを特徴とする請求項１に記載の方法。
【請求項１０】
知覚的客観的聴取品質評価が、前記ＭＯＳを決定するのに使用されることを特徴とする請求項９に記載の方法。
【請求項１１】
前記リンクは、理想ＲＦ条件下で動作することを特徴とする請求項１に記載の方法。
【請求項１２】
前記基準メディア信号をパケットのストリームに符号化する前記段階は、
前記基準メディア信号をデジタル表現から変換してアナログメディア信号を取得する段階と、
前記アナログメディア信号を被試験体（ＤＵＴ）内に注入する段階と、
を含む、
ことを特徴とする請求項１に記載の方法。
【請求項１３】
前記基準メディア信号は、基準音声信号を含み、
前記基準デジタルメディア信号を変換してアナログメディア信号を取得する前記段階は、前記基準音声信号を変換してアナログ音声信号を取得する段階を含み、
前記アナログメディア信号を前記ＤＵＴ内に注入する前記段階は、前記アナログ音声信号をマイクロフォンコネクタ内に注入する段階を含む、
ことを特徴とする請求項１２に記載の方法。
【請求項１４】
前記基準メディア信号は、基準映像信号を含み、
前記基準デジタルメディア信号を変換してアナログメディア信号を取得する前記段階は、前記基準映像信号を変換してビデオ画像を取得する段階を含み、
前記アナログメディア信号を前記ＤＵＴ内に注入する前記段階は、該ＤＵＴ内のカメラを用いてビデオ画像を捕捉する段階を含む、
ことを特徴とする請求項１２に記載の方法。
【請求項１５】
前記基準メディア信号は、基準音声信号及び基準映像信号を含む、
ことを特徴とする請求項１２に記載の方法。
【請求項１６】
劣化メディア信号を捕捉する前記段階は、
前記パケットのストリームを変換してアナログメディア信号を取得する段階と、
前記アナログメディア信号を被試験体から捕捉する段階と、
を含む、
ことを特徴とする請求項１に記載の方法。
【請求項１７】
前記アナログメディア信号は、アナログ映像信号を含み、
前記アナログメディア信号を前記ＤＵＴから捕捉する前記段階は、該ＤＵＴ上のスクリーンから画像を捕捉する段階を含む、
ことを特徴とする請求項１６に記載の方法。
【請求項１８】
装置であって、
基準メディア信号を提供し、該基準メディア信号をパケットのストリームに符号化し、かつ、第１の無線アクセスネットワーク（ＲＡＮ）を介した無線送信による劣化の結果を模擬する第１の障害を該パケットのストリーム内のパケットに与えて該パケットのストリームの第１の無線送信から生じ得る劣化を模擬して出力で障害のあるパケット出力信号を作成するサーバコンピュータと、
前記障害のあるパケット出力信号を前記サーバコンピュータの前記出力から受信し、かつ該障害のある出力信号を無線周波数（ＲＦ）リンク上で被試験体（ＤＵＴ）に送信する該サーバコンピュータに結合された信号伝達試験器と、
を含み、
前記サーバコンピュータは、更に、前記障害のあるパケット出力信号から作成された前記ＤＵＴからのメディア出力信号を受信して該メディア出力信号を変換して劣化メディア信号を提供するように構成され、
前記サーバコンピュータは、更に、前記劣化メディア信号を解析してメディア品質における劣化の推定量を提供するように構成され、
前記サーバコンピュータは、更に、複数の異なる障害についての劣化メディア信号を取得することによって、前記ＤＵＴの性能を特徴付けるように構成される、
ことを特徴とする装置。
【請求項１９】
前記サーバコンピュータは、更に、前記ストリーム内のパケットに第２の障害を与え、第２のＲＡＮを通じた第２の無線送信から生じ得る劣化を模擬して前記障害のあるパケット出力信号を作成する、
ことを特徴とする請求項１８に記載の装置。
【請求項２０】
前記第１の障害は、第２の個々のパケットの前記出力で遅延を引き起こす第１の個々のパケットの模擬された欠落を含むことを特徴とする請求項１８に記載の装置。
【請求項２１】
前記メディア出力信号を変換して劣化メディア信号を提供することは、ＤＵＴからのアナログメディア信号を捕捉することを含み、
前記ＤＵＴからの前記アナログメディア信号を捕捉することは、該ＤＵＴ内のスピーカ及び該ＤＵＴ上のヘッドセットコネクタのうちの少なくとも一方からのアナログ音声信号を捕捉することを含む、
ことを特徴とする請求項１８に記載の装置。
【請求項２２】
前記基準メディア信号は、映像信号を含み、
前記ＤＵＴからの前記障害のあるパケット出力信号を受信することは、該ＤＵＴ上のスクリーンから画像を捕捉することを含む、
ことを特徴とする請求項１８に記載の装置。
【請求項２３】
前記基準デジタルメディア信号をパケットのストリームに符号化すること及び第１の障害をパケットのストリームに課すことのうちの少なくとも一方が、前記ＲＦリンク上で前記障害のあるパケット出力信号を送信する前に該パケットのストリームをメモリに格納する段階を含み、
前記ＲＦリンク上で前記パケットのストリームを送信することは、該パケットのストリームを該ＲＦリンク上で実時間で送信することを含む、
ことを特徴とする請求項１８に記載の装置。
【請求項２４】
装置であって、
基準メディア信号を被試験体（ＤＵＴ）に提供し、入力でパケットのストリームを取得し、第１の無線アクセスネットワーク（ＲＡＮ）を介した無線送信による劣化の結果を模擬する第１の障害を該ストリーム内のパケットに与えて該ストリームの第１の無線送信から生じ得る劣化を模擬して障害のあるパケットのストリームを作成し、かつ該障害のあるパケットのストリームを捕捉して劣化メディア信号を提供するサーバコンピュータと、
無線周波数（ＲＦ）リンク上で前記ＤＵＴから前記パケットのストリームを受信し、かつ該パケットのストリームを前記サーバコンピュータの前記入力に送信する、該サーバコンピュータに結合された信号伝達試験器と、
を含み、
前記サーバコンピュータは、更に、前記劣化メディア信号を解析してメディア品質における劣化の推定量を提供するように構成され、
前記サーバコンピュータは、更に、複数の異なる障害についての劣化メディア信号を取得することによって、前記ＤＵＴの性能を特徴付けるように構成される、
ことを特徴とする装置。
【請求項２５】
前記サーバコンピュータは、ジッタ除去バッファを含み、
前記障害のあるパケットストリームを捕捉して劣化メディア信号を提供することは、前記ジッタ除去バッファに該障害のあるパケットのストリームを通過させることを含む、
ことを特徴とする請求項２４に記載の装置。
【請求項２６】
前記基準メディア信号は、基準音声信号を含み、
前記基準メディア信号を前記ＤＵＴに提供することは、前記基準音声信号をデジタル表現から変換してアナログ音声信号を取得することと、該アナログ音声信号を該ＤＵＴのマイクロフォンコネクタ内に注入することとを含む、
ことを特徴とする請求項２４に記載の装置。
【請求項２７】
前記基準メディア信号は、基準映像信号を含み、
前記基準メディアを前記ＤＵＴに提供することは、前記基準映像信号をスクリーン上に出力することを含む、
ことを特徴とする請求項２４に記載の装置。